(57)【特許請求の範囲】
【請求項１】
ミラーが固定されたミラーホルダと、前記ミラーホルダの角度を調整するための鏡面角度調整ユニットと、がミラーハウジング内に組み込まれ、前記ミラーハウジングのミラー露出開口から前記ミラーを露出させてなるドアミラーにおいて、
前記ミラーホルダの裏面に前記鏡面角度調整ユニットを固定してミラーユニット組立体にする工程と、
前記ミラーハウジングの前記ミラー露出開口側から前記ミラーハウジング内に前記ミラーユニット組立体を収容する工程と、
前記ミラーユニット組立体の前記鏡面角度調整ユニットの背面と前記ミラーハウジングの内面とを当接させる工程と、
前記ミラーハウジングの前記ミラー露出開口に対向する側から、前記ミラーハウジングを貫通させた締結部品を前記鏡面角度調整ユニットに固定させて、前記ミラーユニット組立体を前記ミラーハウジングに固定させる工程と、を備え、
前記ミラーホルダの裏面には、離間して配置される断面円形の位置決め突起が２個設けられ、位置調整治具の先端には、前記位置決め突起を挟み込むクランプ部が設けられ、
対向して配置された前記位置調整治具の前記クランプ部が、２個の前記位置決め突起を結ぶ直線に沿って互いに接近するように移動し、前記クランプ部によって前記位置決め突起を挟み込んで、前記ミラーユニット組立体の位置決めを行うことを特徴とするドアミラー製造方法。
【請求項２】
前記位置決め突起は、前記ミラーホルダの外周縁の近傍に設けられていることを特徴とする請求項１に記載のドアミラー製造方法。
【請求項３】
前記ミラーハウジング内に設けられた仕切壁に前記鏡面角度調整ユニットの背面を当接させ、前記仕切壁には、前記鏡面角度調整ユニットの背面に設けられたターミナル部を露出させるための開口部が形成され、
前記ミラーハウジングの前記仕切壁に前記締結部品により前記ミラーユニット組立体を固定した後に、外部電力の供給に利用されるハーネスのコネクタ部を、前記開口部を通して前記ターミナル部に連結させることを特徴とする請求項１又は２に記載のドアミラー製造方法。
【請求項４】
前記開口部の周囲には、前記締結部品を挿入させるための挿通孔が形成され、前記鏡面角度調整ユニットの背面には、前記挿通孔に対応した位置に、前記締結部品の固定を可能にした固定孔が形成されていることを特徴とする請求項３に記載のドアミラー製造方法。
【発明の詳細な説明】
【技術分野】
【０００１】
本発明は、ミラーが固定されたミラーホルダの角度を調整するための鏡面角度調整ユニットを備えたドアミラーの製造方法に関するものである。
【背景技術】
【０００２】
従来、このような分野の技術として、特開２００５−２３８９５４号公報がある。この公報に記載されたドアミラーは、ミラーが固定された樹脂製のミラーホルダの角度を調整するための鏡面角度調整ユニットを備え、この鏡面角度調整ユニットは、ミラーボディ（ミラーハウジング）内に収容され、ミラーはミラーボディのミラー露出開口から露出させられている。この鏡面角度調整ユニットは、内部の二個のモータの駆動により任意の角度にミラーを調整することができ、ミラーボディのミラー露出開口側からネジによってミラーボディに固定される。その後、鏡面角度調整ユニットのピボットプレートの溝部に、ミラーホルダの裏面に設けられた爪部が差し込まれることで、鏡面角度調整ユニットとミラーホルダとが一体化される。
【先行技術文献】
【特許文献】
【０００３】
【特許文献１】特開２００５−２３８９５４号公報
【発明の概要】
【発明が解決しようとする課題】
【０００４】
前述した従来のドアミラー製造方法では、鏡面角度調整ユニットは、ミラーボディのミラー露出開口側からネジによってミラーボディに固定され、その後、鏡面角度調整ユニットにミラーホルダを固定させている。しかしながら、目視によって、鏡面角度調整ユニットにミラーホルダを固定させるにあたって、ミラーホルダの裏面側にある爪部を、鏡面角度調整ユニットのピボットプレートの溝部に極めて嵌め難く、組立て作業性を勘に頼らざるを得ず、組立て作業性を極めて悪くしている。その理由は、ネジによってミラーボディに固定された鏡面角度調整ユニットは、ミラーボディ内に入り込んだ状態になっており、しかも、ミラーホルダは、ミラーボディのミラー露出開口を略覆うような大きなプレート形状を有しているので、目視で組立て作業をする際には、鏡面角度調整ユニットを限界に近い位置まで傾動させなければ、ミラーホルダの裏面側にある爪部を、鏡面角度調整ユニットのピボットプレートの溝部に嵌め込む状態を視認することができず、僅かな隙間から覗くような作業を作業者に強いるためである。このように、鏡面角度調整ユニットとミラーホルダとの組み付け作業の煩わしさが、ドアミラーの組立て作業性を悪くする一因になっていた。
【０００５】
本発明は、組立て作業性の良好なドアミラー製造方法を提供することを目的とする。
【課題を解決するための手段】
【０００６】
本発明は、ミラーが固定されたミラーホルダと、ミラーホルダの角度を調整するための鏡面角度調整ユニットと、がミラーハウジング内に組み込まれ、ミラーハウジングのミラー露出開口からミラーを露出させてなるドアミラーにおいて、
ミラーホルダの裏面に鏡面角度調整ユニットを固定してミラーユニット組立体にする工程と、
ミラーハウジングのミラー露出開口側からミラーハウジング内にミラーユニット組立体を収容する工程と、
ミラーユニット組立体の鏡面角度調整ユニットの背面とミラーハウジングの内面とを当接させる工程と、
ミラーハウジングのミラー露出開口に対向する側から、ミラーハウジングを貫通させた締結部品を鏡面角度調整ユニットに固定させて、ミラーユニット組立体をミラーハウジングに固定させる工程と、を備え、
ミラーホルダの裏面には、離間して配置される断面円形の位置決め突起が２個設けられ、位置調整治具の先端には、前記位置決め突起を挟み込むクランプ部が設けられ、
対向して配置された前記位置調整治具の前記クランプ部が、２個の前記位置決め突起を結ぶ直線に沿って互いに接近するように移動し、前記クランプ部によって前記位置決め突起を挟み込んで、前記ミラーユニット組立体の位置決めを行う。
【０００７】
本願請求項１の発明のドアミラー製造方法では、先ず、ミラーホルダの裏面に鏡面角度調整ユニットを固定してミラーユニット組立体にし、このミラーユニット組立体を、ミラーハウジングに締結部品を利用して固定する手順を踏んでいる。すなわち、本発明では、ミラーハウジングのミラー露出開口側からミラーハウジング内にミラーユニット組立体を収容し、その後、ミラーユニット組立体の鏡面角度調整ユニットの背面とミラーハウジングの内面とを当接させる。この状態で、ミラーハウジングのミラー露出開口に対向する側（すなわち、ミラーハウジングのミラー露出開口側を後側と定義した場合、ミラーハウジングの前側）から、ミラーハウジングを貫通させた締結部品を鏡面角度調整ユニットに固定させて、ミラーユニット組立体をミラーハウジングに固定させる。本発明では、ミラーハウジングのミラー露出開口に対向する側から、締結部品の締結作業を行うようにしているので、従来のような作業の煩わしさが無く、良好な組立て作業性を実現することができる。
【０００８】
ミラーホルダの裏面には、離間して配置される断面円形の位置決め突起が２個設けられ、位置調整治具の先端には、位置決め突起を挟み込むクランプ部が設けられ、対向して配置された位置調整治具のクランプ部が２個の位置決め突起を結ぶ直線に沿って互いに接近するように移動し、クランプ部によって位置決め突起を挟み込んで、ミラーユニット組立体の位置決めを行う。
このような位置調整治具を利用することで、ミラーユニット組立体のミラーを下にし、鏡面角度調整ユニットを上にした状態で、ミラーユニット組立体を精度良く確実に位置決めさせることができるので、この位置決め後に、ミラーユニット組立体にミラーハウジングを被せるようにすることで、ミラーユニット組立体の鏡面角度調整ユニットの背面と、ミラーハウジングの内面と、を精度良く所定の位置に当接させることができる。そして、ミラーハウジングの上方から締結部品の締結作業を確実に行うことができる。
【０００９】
本願請求項２の発明においては、位置決め突起は、ミラーホルダの外周縁の近傍に設けられている。
このような構成を採用すると、中心と位置決め突起との距離を長くとることができるので、ミラーユニット組立体の位置決め精度を向上させることができる。
【００１０】
本願請求項３の発明においては、ミラーハウジング内に設けられた仕切壁に鏡面角度調整ユニットの背面を当接させ、仕切壁には、鏡面角度調整ユニットの背面に設けられたターミナル部を露出させるための開口部が形成され、ミラーハウジングの仕切壁に締結部品によりミラーユニット組立体を固定した後に、外部電力の供給に利用されるハーネスのコネクタ部を、開口部を通してターミナル部に連結させる。
このような構成を採用することで、外部電力の供給に利用されるハーネスと鏡面角度調整ユニットとの連結を、ミラーハウジングとミラーユニット組立体との締結後に行うことができる。特に、ミラーハウジングの前側にカバー部材（通常、車両のボディと同色になっている）が設けられているドアミラーにあっては、ミラーハウジングの前側からハーネスのコネクタ部と鏡面角度調整ユニットのターミナル部とを容易に接続させることができる。このことも、良好な組立て作業性を実現する一助をなす。
【００１１】
本願請求項４の発明においては、開口部の周囲には、締結部品を挿入させるための挿通孔が形成され、鏡面角度調整ユニットの背面には、挿通孔に対応した位置に、締結部品の固定を可能にした固定孔が形成されている。
このように、ターミナル部を露出させるための開口部の周囲に挿通孔を配置させることで、鏡面角度調整ユニットの背面の小型化を図ることができ、このことは、鏡面角度調整ユニットの小型化に寄与する。
【発明の効果】
【００１２】
本発明によれば、ドアミラーの組立て作業性が良好になる。
【図面の簡単な説明】
【００１３】
【図１】本発明に係る製造方法が適用されるドアミラーの一実施形態を示す正面図である。
【図２】ドアミラーの分解斜視図である。
【図３】ミラーユニット組立体の分解斜視図である。
【図４】ドアミラーの断面図である。
【図５】ミラーハウジングのハウジング本体を示す正面図である。
【図６】ミラーユニット組立体と位置調整治具との関係を示す平面図である。
【図７】ドアミラー             を上下方向に分解してなる断面図である。
【図８】ドアミラーの他の例を示す断面図である。
【発明を実施するための形態】
【００１４】
以下、図面を参照しつつ本発明に係るドアミラー製造方法の好適な実施形態について詳細に説明する。なお、ドアミラー１における「前後」は、車両の前後方向に合わせるように表現されている。
【００１５】
図１に示されるように、電動ドアミラー１は、車両のフロントドアにボルト止めされるドアミラーベース２と、ドアミラーベース２のベース本体２ａに取り付けられて、フロントドアに密着させてシール機能を有するガスケット３と、ドアミラーベース２の台座部２ｂに回動自在に取り付けられたドアミラー本体４と、で主として構成されている。
【００１６】
ドアミラー本体４は、ミラーハウジング６のミラー露出開口６ａ側に配置されたミラーホルダ７と、表側にミラー７ａが固定されたミラーホルダ７の裏面７ｆに嵌合されて、ミラーホルダ７の角度を調整するための鏡面角度調整ユニット２０と、ドアミラーベース２の台座部２ｂに連結されて、ドアミラー本体４自体を回動させてドアミラー本体４を格納状態にするための電動格納ユニット９と、ミラーハウジング６に固定されたターンランプユニット８と、を備えている。
【００１７】
また、電動ドアミラー１には、鏡面角度調整ユニット２０内のモータと、電動格納ユニット９内のモータと、ターンランプユニット８内のランプと、にそれぞれ電力を供給するために、ドアミラーベース２及びドアミラー本体４内で配回されたハーネス１０が設けられている。このハーネス１０は、ドアミラーベース２のベース本体２ａに取り付けられたガスケット３から外部に露出させられている。ハーネス１０の一端には、車両内の配線に接続するためのコネクタ部１０ａが設けられ、ハーネス１０の他端には、鏡面角度調整ユニット２０に接続されるコネクタ部１０ｂと、電動格納ユニット９に接続されるコネクタ部１０ｃと、ターンランプユニット８に接続されるコネクタ部１０ｄと、が設けられている。
【００１８】
更に、電動ドアミラー１には、ミラーハウジング６の一部をなすカバー部材６ｂが設けられている。このカバー部材６ｂは、通常、車両のボディと同色になっており、ミラーハウジング６の前側に位置している。ミラーハウジング６は、鏡面角度調整ユニット２０及び電動格納ユニット９を収容するためのハウジング本体６Ａと、カバー部材６ｂと、から構成されている。そして、電動格納ユニット９は、ハウジング本体６Ａに固定されると共に、ハーネス１０を通過させるためのハーネス引き出孔９ａを有している。
【００１９】
図３に示されるように、ミラーホルダ７の裏面７ｆには、鏡面角度調整ユニット２０の固定を可能にするために突出させられたクランプ爪部７ｃと、ミラーホルダ７に対する鏡面角度調整ユニット２０の位置決めを可能にする３本の突起部７ｂと、が形成されている。そして、ミラーホルダ７の裏面７ｆにおいて、３本の突起部７ｂの外側には４個のクランプ爪部７ｃが周方向で等間隔に配置させられている。
【００２０】
鏡面角度調整ユニット２０に設けられた傾動自在なピボットプレート２１は円形の外周を有し、このピボットプレート２１には、径方向に突出する引掛け部２２が形成されている。この引掛け部２２には、ミラーホルダ７のクランプ爪部７ｃによって挟み込まれる引掛けバー２２ａが設けられている。また、鏡面角度調整ユニット２０のピボットプレート２１には、ミラーホルダ７の突起部７ｂを挿入させるための位置決め孔２１ａ（図７参照）が形成されている。
【００２１】
鏡面角度調整ユニット２０の背面２０ａには、ハーネス１０のコネクタ部１０ｂを接続するための凹状のターミナル部２３が設けられ、このターミナル部２３には、雌側の給電端子２３ａが配置されている。そして、凹状をなすターミナル部２３の周囲には、雌ネジ孔２４が配置されている。なお、クランプ爪部７ｃと引掛けバー２２ａとの協働により、ミラーホルダ７と鏡面角度調整ユニット２０とが一体化されて、ミラーユニット組立体２５が構成される。
【００２２】
給電端子２３ａは、４本で構成され、給電端子２３ａのうちの２本は、鏡面角度ユニット２０内の第１のモータ（不図示）に接続され、他の２本は、鏡面角度ユニット２０内の第２のモータ（不図示）に接続される。なお、第１のモータは、鏡面を鉛直方向で傾動させ、第２のモータは、鏡面を水平方向で傾動させる。
【００２３】
図４及び図５に示されるように、ミラーハウジング６のハウジング本体６Ａには、ミラーユニット組立体２５を収容するために後側に位置するミラー収容空間（第２の空間）Ｓ１と、鏡面角度調整ユニット２０からドアミラー１の外部に引き出されるハーネス１０を収容するために前側に位置するハーネス収容空間（第１の空間）Ｓ２と、を仕切るための仕切壁３０が設けられている。そして、ハウジング本体６Ａの仕切壁３０とカバー部材６ｂとの協働により、ハーネス収容空間Ｓ２が形成され、このハーネス収容空間Ｓ２内でハーネス１０が配回される。
【００２４】
鏡面角度調整ユニット２０を固定するための仕切壁３０には、鏡面角度調整ユニット２０のターミナル部２３を露出させるための開口部３１が形成され、この開口部３１の周囲には、締結部品としてのネジ３２を挿入させるための挿通孔３３が形成されている。そして、この挿通孔３３の周囲には、仕切壁３０から立設させられた補強筒部３４が設けられている。これに対して、鏡面角度調整ユニット２０の背面２０ａには、挿通孔３３に対応した位置に、ネジ３２の固定を可能にした雌ネジ孔（固定孔）２４が形成されている。このように、ターミナル部２３を露出させるための開口部３１の周囲に挿通孔３３を配置させることで、鏡面角度調整ユニット２０の背面２０ａの小型化を図ることができ、このことは、鏡面角度調整ユニット２０のモータホルダ５１の小型化に寄与する。
【００２５】
ハウジング本体６Ａの仕切壁３０に鏡面角度調整ユニット２０の背面２０ａを位置決めした状態で当接させ、仕切壁３０の開口部３１から鏡面角度調整ユニット２０のターミナル部２３を露出させた状態で、ハーネス収容空間Ｓ２側から挿通孔３３内にネジ３２を差し込む。このネジ３２を鏡面角度調整ユニット２０の雌ネジ孔２４に螺合させ、ネジ３２を締め込むことで、ミラーユニット組立体２５がハウジング本体６Ａの仕切壁３０に固定される。このようなネジ締め作業後、開口部３１から露出させられた鏡面角度調整ユニット２０の背面２０ａのターミナル部２３に、ハーネス１０のコネクタ部１０ｂを接続する。
【００２６】
また、ハーネス１０のコネクタ部１０ｃは電動格納ユニット９に接続され、ハーネス１０のコネクタ部１０ｄはターンランプユニット８に接続される。そして、ハウジング本体６Ａにターンランプユニット８をネジ止めし、その後、ハウジング本体６Ａの前面側にカバー部材６ｂが着脱可能に嵌め込まれる。
【００２７】
次に、電動ドアミラー１の組立方法について説明する。
【００２８】
図６に示されるように、ミラー７ａを下にした状態でミラーユニット組立体２５を位置調整治具４０によって保持する。この場合、ミラーホルダ７の裏面７ｆには、ミラーホルダ７の中心（すなわち重心）Ｃを通る直線Ｌ上に、中心Ｃを境にして対向して配置された断面円形の位置決め突起７ｄが一対設けられている。また、各位置調整治具４０の先端には、各位置決め突起７ｄを挟み込むためのクランプ部４１がそれぞれ設けられている。クランプ部４１は、二股に分かれた指部４１ａを有し、指部４１ａの間で位置決め突起７ｄが挟み込まれる。また、各位置調整治具４０は、リニアアクチュエータ（図示ぜず）によって、一対の位置決め突起７ｄの中心を結ぶ直線Ｌに沿って往復動する。なお、２個の位置決め突起７ｄの間隔は、５０ｍｍ以上あれば、安定した位置決めが可能になる。
【００２９】
対向して配置された位置調整治具４０のクランプ部４１が、一対の位置決め突起７ｄの中心を結ぶ直線Ｌに沿って外側から中心Ｃに向けて互いに接近するように移動し、クランプ部４１の指部４１ａによって位置決め突起７ｄを挟み込んで、ミラーユニット組立体２５の位置決めが行われる。
【００３０】
このような位置調整治具４０を利用することで、ミラーユニット組立体２５のミラー７ａを下にし、鏡面角度調整ユニット２０を上にした状態で、ミラーユニット組立体２５を精度良く確実に位置決めさせることができる。そして、この位置決め後に、ミラーユニット組立体２５にミラーハウジング６を被せるようにすることで、ミラーユニット組立体２５の鏡面角度調整ユニット２０の背面２０ａと、ミラーハウジング６の内面と、を精度良く所定の位置に当接させることができる。その結果、ミラーハウジング６の上方から締結部品としてのネジ３２の螺着作業を確実に行うことができる。
【００３１】
さらに、位置決め突起７ｄは、ミラーホルダ７の外周縁７ｅの近傍に設けられている。このような構成を採用すると、中心Ｃと位置決め突起７ｄとの距離を長くとることができ、これによって、ミラーユニット組立体２５の位置決め精度を向上させることができる。
【００３２】
図７に示されるように、このようにして位置決めされたミラーユニット組立体２５の上方から、ミラーハウジング６のミラー露出開口６ａ内にミラーユニット組立体２５を挿入し、ミラー収容空間Ｓ１内にミラーユニット組立体２５を収容させる。そして、ハウジング本体６Ａ内に設けられた仕切壁３０に鏡面角度調整ユニット２０の背面２０ａを当接させ、仕切壁３０の開口部３１からターミナル部２３を露出させる。
【００３３】
このとき、仕切壁３０には、内部に挿通孔３３を内部に有してミラー収容空間Ｓ１側に突出する円筒部３５が形成され、鏡面角度調整ユニット２０の背面２０ａには、雌ネジ孔２４の周囲に位置する複数の凸片３６が形成されているので、円筒部３５の周面が、複数の凸片３６に当接させられるので、ハウジング本体６Ａとミラーユニット組立体２５との位置合わせがなされる。なお、ミラーハウジング６にドアミラーベース２を組み付けた状態で上記作業が行われる
【００３４】
その後、ミラーハウジング６のミラー露出開口６ａに対向する側、すなわち上方からネジ３２を挿通孔３３に挿入させ、ミラーハウジング６を貫通させて鏡面角度調整ユニット２０の雌ネジ孔（固定孔）２４にネジ３２を螺着させて、ミラーユニット組立体２５を仕切壁３０に固定させる。なお、ミラーハウジング６のミラー露出開口６ａに対向する側とは、カバー部材６ｂの装着を予定している側又はハーネス収容空間Ｓ２側をも意味する。
【００３５】
その後、外部電力の供給に利用されるハーネス１０のコネクタ部１０ｂを、開口部３１を通してターミナル部２３に連結させる。このような構成を採用することで、外部電力の供給に利用されるハーネス１０と鏡面角度調整ユニット２０との連結を、ミラーハウジング６とミラーユニット組立体との締結後に行うことができる。特に、ミラーハウジング６の前側にカバー部材（通常、車両のボディと同色になっている）が設けられているドアミラーにあって、ミラーハウジング６の上側からハーネス１０のコネクタ部１０ｂと鏡面角度調整ユニット２０のターミナル部２３とを容易に接続させることができる。このことも、良好な組立て作業性を実現する一助をなす。
【００３６】
このドアミラー製造方法では、先ず、ミラーホルダ７の裏面７ｆに鏡面角度調整ユニット２０を固定してミラーユニット組立体２５にし、このミラーユニット組立体２５を、ミラーハウジング６にネジ３２を利用して固定する手順を踏んでいる。すなわち、ミラーハウジング６のミラー露出開口６ａ側からミラーハウジング６内にミラーユニット組立体２５を収容し、その後、ミラーユニット組立体２５の鏡面角度調整ユニット２０の背面２０ａと、ミラーハウジング６の内面と、を当接させる。
【００３７】
この状態で、ミラーハウジング６のミラー露出開口６ａに対向する側（すなわち、ミラーハウジング６のミラー露出開口６ａ側を後側と定義した場合、ミラーハウジング６の前側）から、ミラーハウジング６を貫通させたネジ３２を鏡面角度調整ユニット２０に固定させて、ミラーユニット組立体２５をミラーハウジング６に固定させる。このようなドアミラー１にあっては、ミラーハウジング６のミラー露出開口６ａに対向する側（すなわち上方側）から、ネジ３２の締結作業を行うようにしているので、従来のような作業の煩わしさが無く、良好な組立て作業性を実現することができる。
【００３８】
本発明は、前述した実施形態に限定されないことは言うまでもない。例えば、締結手段として、ネジに限らず、図８に示されるように、打ち込みピン３２Ａであってもよい。この場合、鏡面角度調整ユニット２０には、圧入孔（固定孔）２４Ａが形成されている。
【符号の説明】
【００３９】
１…電動ドアミラー、２…ドアミラーベース、４…ドアミラー本体、６…ミラーハウジング、６Ａ…ハウジング本体、６ａ…ミラー露出開口、６ｂ…カバー部材、７…ミラーホルダ、７ａ…ミラー、７ｄ…位置決め突起、７ｅ…ミラーホルダの外周縁、７ｆ…ミラーホルダの裏面、８…ターンランプユニット、９…電動格納ユニット、１０…ハーネス、１０ｂ…コネクタ部、２０…鏡面角度調整ユニット、２０ａ…鏡面角度調整ユニットの背面、２３…ターミナル部、２３ａ…給電端子、２４…雌ネジ孔（固定孔）、２４Ａ…圧入孔（固定孔）、２５…ミラーユニット組立体、３０…仕切壁、３１…開口部、３２…ネジ（締結部品）、３２Ａ…打ち込みピン（締結部品）、３３…挿通孔、４０…位置調整治具、４１…クランプ部、Ｃ…中心、Ｌ…直線、Ｓ１…ミラー収容空間（第２の空間）、Ｓ２…ハーネス収容空間（第１の空間）。
【図１】
0005758252.tif 000002
【図２】
0005758252.tif 000003
【図３】
0005758252.tif 000004
【図４】
0005758252.tif 000005
【図５】
0005758252.tif 000006
【図６】
0005758252.tif 000007
【図７】
0005758252.tif 000008
【図８】
0005758252.tif 000009